(57)【要約】【課題】店頭等に商品を載置して顧客に商品広告情報や商品情報を表示しながら、商品本体を容易に展示、陳列するために使用するディスプレイ表示体であって、構造が簡潔で軽量であるとともに、展示場所への表示体本体の設置固定と表示体本体への表示板の取り付け固定が容易であって、展示場所や表示対象商品からの表示体本体及び表示板の位置ズレが発生しない安価なディスプレイ表示体を提供する。【解決手段】商品展示用の展示台部１と、該展示台部の上面に設けた展示台面２と、該展示台面の一端部に所定の形状線に沿って垂直に立設した前面板３と、該前面板の背面側に平行に所定の間隔を以て垂直に対向立設する背面板４とから構成される展示台本体Ａと、該展示台本体の前面板と背面板との対向間に挟持される表示用プレート１１からなる表示板本体Ｂとから構成され、前面板と背面板との対向間に表示板本体Ｂを位置決めする孔設部５を設けた。【選択図】図２
2006078728.tif 000002
【特許請求の範囲】
【請求項１】
商品展示用の展示台部と、該展示台部の上面に設けた展示台面と、該展示台面の一端部に所定の形状線に沿って垂直に立設した前面板と、該前面板の背面側に平行に所定の間隔を以て垂直に対向立設する背面板とから構成される展示台本体と、該展示台本体の前面板と背面板との対向間に挟持される表示板本体とから構成されることを特徴とする商品展示台兼用ディスプレイ表示体。
【請求項２】
請求項１記載の商品展示台兼用ディスプレイ表示体において、前記前面板と背面板が互いに正対して設けられ、該前面板と背面板との互いに正対する対向面のうちいずれか一方面又は両方面に、表示板挟持用のライン状突起部を垂直方向に設けたことを特徴とする商品展示台兼用ディスプレイ表示体。
【請求項３】
請求項２記載の商品展示台兼用ディスプレイ表示体において、前記前面板と背面板との正対する互いの各々対向面に設けた表示板挟持用のライン状突起部を互い違いに設けたことを特徴とする商品展示台兼用ディスプレイ表示体。
【請求項４】
請求項２記載の商品展示台兼用ディスプレイ表示体において、前記前面板と背面板との正対する互いの各々対向面に設けた表示板挟持用のライン状突起部を互いに正対するように設けたことを特徴とする商品展示台兼用ディスプレイ表示体。
【請求項５】
請求項１乃至４のいずれか１項記載の商品展示台兼用ディスプレイ表示体において、前記前面板と背面板との対向間の展示台部におけるいずれかの個所の上面に、又は上面から下面に亘って孔設部を孔設したことを特徴とする商品展示台兼用ディスプレイ表示体。
【請求項６】
請求項５記載の商品展示台兼用ディスプレイ表示体において、前記孔設部を、前面板と背面板との対向間の展示台部における該前面板と背面板とが互いに正対しない対向間の展示台部に設けたことを特徴とする商品展示台兼用ディスプレイ表示体。
【請求項７】
請求項５記載の商品展示台兼用ディスプレイ表示体において、前記孔設部を、前面板と背面板との対向間の展示台部における該前面板と背面板とが互いに正対する対向間の展示台部に設けたことを特徴とする商品展示台兼用ディスプレイ表示体。
【請求項８】
請求項５乃至７のいずれか１項記載の商品展示台兼用ディスプレイ表示体において、前記表示板の下端部に、前記孔設部内に嵌入可能な位置決め突起部を設けたことを特徴とする商品展示台兼用ディスプレイ表示体。
【請求項９】
請求項１乃至８のいずれか１項記載の商品展示台兼用ディスプレイ表示体において、前記表示板の片面又は両面に垂直方向に、前記前面板と背面板との互いの対向面のいずれか一方面又は両面に垂直方向に設けた突起部に係合する位置決め凹部を設けたことを特徴とする商品展示台兼用ディスプレイ表示体。
【請求項１０】
請求項１乃至９のいずれか１項記載の商品展示台兼用ディスプレイ表示体において、前記展示台部の前面板と背面板とを対向立設した端部以外の他の端部に、その端部の外側に向かって低く緩やかな所定傾斜角度を以て傾斜する傾斜面を備えることを特徴とする商品展示台兼用ディスプレイ表示体。
【発明の詳細な説明】
【技術分野】
【０００１】
本発明は、店頭等に商品を載置して商品広告や商品情報の表示をしながら展示、陳列するために使用するディスプレイ表示体に関し、特に商品展示台を兼ねた商品展示台兼用ディスプレイ表示体に関する。
【背景技術】
【０００２】
店頭等に商品を載置して商品広告や商品情報の表示をしながら展示、陳列するために使用する従来のディスプレイ表示体は、商品情報や広告情報やキャンペーン情報を印刷表示した平坦な表示板を、位置ずれしないように金属製のフレームに挟み込み、ネジ止めなどにより固定する構造となっていて、表示板を交換する場合に、ネジを緩めたりして取り外す必要があるために、表示板の取付けや交換が面倒であった。
【０００３】
また、そのような表示体を、湿気の多い環境や野外などにおける展示に使用する場合には、湿気や雨に晒されてフレーム内に水が溜まったり、外界の埃などの影響で汚れが発生し易く、表示板の交換時には、フレームに付着した水分を拭き取ったり、清掃したりする手間が発生していた。
【０００４】
また、上記のような従来のディスプレイ表示体の本体は、商品を展示する展示棚や、商品本体等の展示すべき場所に、両面粘着テープを用いたり、ネジ止めなどにて取り付け、固定する構造になっており、取り付け固定が面倒であったり、展示終了後の展示具の撤収においても、取り付け固定に用いた粘着テープを剥がしたり、ネジ止めを緩めたりする手間が掛かっていた。
【０００５】
ところで、一般に商品を展示、陳列するディスプレイ表示体の本体自体は、各種商品に対応して、その商品に対応する情報を印刷した平坦な表示板を差し替えるだけで、その表示板を取り付ける表示体本体は繰り返し使用が可能であること、また、価格が安価で、しかも簡単な構造にするためには、ディスプレイ表示体又は表示板を含む表示体を軽量化することが望まれている。
【０００６】
しかしながら、ディスプレイ表示体を軽量化すると、その表示体を野外の展示に使用した場合には外界の風によって、また、その表示体を店頭の展示に使用した場合には店頭の入口や窓等から入り込む外界からの風によって、また振動や外力によって、表示体が展示場所の定位置から移動したり飛ばされたり、対象商品の位置からズレたりし易いものであった。
【０００７】
以下に、公知の特許文献を記載する。
【特許文献１】特公平７−２７３３６号公報
【発明の開示】
【発明が解決しようとする課題】
【０００８】
本発明の課題は、店頭等に商品を載置して顧客に商品広告情報や商品情報を表示しながら、商品本体を容易に展示、陳列するために使用するディスプレイ表示体であって、構造が簡潔で軽量であるとともに、展示場所への表示体本体の設置固定と表示体本体への表示板の取り付け固定が容易であって、展示場所や表示対象商品からの表示体本体及び表示板の位置ズレが発生しない安価なディスプレイ表示体を提供することにある。
【課題を解決するための手段】
【０００９】
本発明の請求項１に係る発明は、商品展示用の展示台部と、該展示台部の上面に設けた展示台面と、該展示台面の一端部に所定の形状線に沿って垂直に立設した前面板と、該前面板の背面側に平行に所定の間隔を以て垂直に対向立設する背面板とから構成される展示台本体と、該展示台本体の前面板と背面板との対向間に挟持される表示板本体とから構成されることを特徴とする商品展示台兼用ディスプレイ表示体である。
【００１０】
本発明の請求項２に係る発明は、上記請求項１に係る商品展示台兼用ディスプレイ表示体において、前記前面板と背面板が互いに正対して設けられ、該前面板と背面板との互いに正対する対向面のうちいずれか一方面又は両方面に、表示板挟持用のライン状突起部を垂直方向に設けたことを特徴とする商品展示台兼用ディスプレイ表示体である。
【００１１】
本発明の請求項３に係る発明は、上記請求項２に係る商品展示台兼用ディスプレイ表示体において、前記前面板と背面板との正対する互いの各々対向面に設けた表示板挟持用のライン状突起部を互い違いに設けたことを特徴とする商品展示台兼用ディスプレイ表示体である。
【００１２】
本発明の請求項４に係る発明は、上記請求項２に係る商品展示台兼用ディスプレイ表示体において、前記前面板と背面板との正対する互いの各々対向面に設けた表示板挟持用のライン状突起部を互いに正対するように設けたことを特徴とする商品展示台兼用ディスプレイ表示体である。
【００１３】
本発明の請求項５に係る発明は、上記請求項１乃至４のいずれか１項に係る商品展示台兼用ディスプレイ表示体において、前記前面板と背面板との対向間の展示台部におけるいずれかの個所の上面に、又は上面から下面に亘って孔設部を孔設したことを特徴とする商品展示台兼用ディスプレイ表示体である。
【００１４】
本発明の請求項６に係る発明は、上記請求項５に係る商品展示台兼用ディスプレイ表示体において、前記孔設部を、前面板と背面板との対向間の展示台部における該前面板と背面板とが互いに正対しない対向間の展示台部に設けたことを特徴とする商品展示台兼用ディスプレイ表示体である。
【００１５】
本発明の請求項７に係る発明は、上記請求項５に係る商品展示台兼用ディスプレイ表示体において、前記孔設部を、前面板と背面板との対向間の展示台部における該前面板と背面板とが互いに正対する対向間の展示台部に設けたことを特徴とする商品展示台兼用ディスプレイ表示体である。
【００１６】
本発明の請求項８に係る発明は、上記請求項５乃至７のいずれか１項に係る商品展示台兼用ディスプレイ表示体において、前記表示板の下端部に、前記孔設部内に嵌入可能な位置決め突起部を設けたことを特徴とする商品展示台兼用ディスプレイ表示体である。
【００１７】
本発明の請求項９に係る発明は、上記請求項１乃至８のいずれか１項に係る商品展示台兼用ディスプレイ表示体において、前記表示板の片面又は両面に垂直方向に、前記前面板と背面板との互いの対向面のいずれか一方面又は両面に垂直方向に設けた突起部に係合する位置決め凹部を設けたことを特徴とする商品展示台兼用ディスプレイ表示体である。
【００１８】
本発明の請求項１０に係る発明は、上記請求項１乃至９のいずれか１項に係る商品展示台兼用ディスプレイ表示体において、前記展示台部の前面板と背面板とを対向立設した端部以外の他の端部に、その端部の外側に向かって低く緩やかな所定傾斜角度を以て傾斜する傾斜面を備えることを特徴とする商品展示台兼用ディスプレイ表示体である。
【発明の効果】
【００１９】
本発明の商品展示台兼用ディスプレイ表示体によれば、商品本体を載置して展示、陳列する展示用の展示台部と、該展示台部の上面に設けた商品本体を載置する展示台面と、該展示台面の一端部に垂直に対向立設する前面板と背面板とから構成される商品展示台本体と、該前面板と背面板との対向間に挟持して垂直に起立する表示板本体とから構成されている。
【００２０】
そのために、前記展示台部の展示台面上には、展示、陳列すべき商品本体を載置することができ、その商品を展示すべき商品棚や、商品展示場所に展示台部を載置して、その展示台部の展示台面上に、展示陳列すべき当該商品本体（又は複数の商品本体群）を、直接載置して展示、陳列したり、又は所定のトレー容器等の開放容器に収納して載置して展示、陳列することにより、展示台本体は商品本体の自重によって固定されて、移動したり位置ズレしないように容易に定位置に固定することができる。
【００２１】
また、展示台本体の一端部に垂直に立設した前面板と背面板との対向間には、商品本体の商品情報や、その商品類に関する広告情報や販売キャンペーン情報など商品関連情報を印刷表示した表示板を、差し込み挟持することによって、展示台面上に載置した当該商品の商品関連情報をディスプレイ表示することができ、簡易な商品展示台を兼ねたディスプレイ表示体として効果的である。
【００２２】
このように、店頭等に商品を載置して顧客に商品広告情報や商品情報を表示しながら、商品本体を容易に展示、陳列することができ、構造が簡潔で軽量であるとともに、展示場所への表示体本体の設置固定と表示体本体への表示板の取り付け固定が容易であって、展示場所や表示対象商品からの表示体本体及び表示板の位置ズレが発生しない安価なディスプレイ表示体を提供することができる。
【００２３】
また、本発明の商品展示台兼用ディスプレイ表示体によれば、展示台本体に立設した前面板と背面板との互いに正対する対向面のうち、いずれか一方面又は両方面に、表示板を挟持するためのライン状突起部を垂直方向に設けることにより、前面板と背面板との対向間に、このライン状突起部による表示板への押圧によって、表示板を確実に挟持し固定することができ、さらに、前記前面板と背面板との正対する互いの各々対向面にライン状突起部を互い違いに設けることによって、前面板と背面板との対向間に挟持される表示板本体に、ライン状突起部による表示板への互い違いの方向からの押圧による僅かな波板状の撓み変形を生じさせることができ、それにより表示板をより確実に挟持し固定することができるものである。
【００２４】
また、本発明の商品展示台兼用ディスプレイ表示体によれば、展示台本体の展示台部に立設した前面板と背面板との対向間の展示台部の上面から下面に亘って、孔設部を貫設するか、又は、前面板と背面板との対向間の展示台部の上面に、孔設部を途中まで所定の深さに孔設し、表示板本体の下端部に、前記孔設部内に嵌入可能な位置決め突起部を設けることにより、展示台本体の前面板と背面板との対向間に設けた位置決め孔設部内に表示体本体の位置決め突起部を差し込み係合することができ、これにより、展示台本体（若しくは前面板）の幅方向に対する表示板本体の幅方向の取り付け位置の位置決めをすることができ、常に、展示台本体（若しくは前面板）に対する表示板本体の位置を所定位置に設定して、展示台本体の前面板と背面板との対向間に差し込み挟持して取り付けることができる。
【００２５】
また、本発明の商品展示台兼用ディスプレイ表示体によれば、前記表示板本体の片面又は両面に垂直方向に位置決め凹部を設け、該位置決め凹部を、前記展示台本体の前面板と
背面板との互いの対向面のいずれか一方面又は両面に垂直方向に設けた突起部に係合させるようにすることにより、展示台本体（若しくは前面板）の幅方向に対する表示板本体の幅方向の取り付け位置の位置決めをすることができ、常に、展示台本体（若しくは前面板）に対する表示板本体の位置を所定位置に設定して、展示台本体の前面板と背面板との対向間に差し込み挟持して取り付けることができる。
【発明を実施するための最良の形態】
【００２６】
本発明の商品展示台兼用ディスプレイ表示体は、図１、図２の全体斜視図、及び図３（ａ）の平面図、及び図３（ｂ）のＭ−Ｍ断面図に示すように、商品を展示、陳列する展示用の展示台部１と、該展示台部１の上面に設けた平坦な展示台面２と、該展示台面２の一端部１ｄ側に、所定の形状線、例えば直線形状線に沿うような形状にて、該展示台面２に対して垂直方向に立設した前面板３と、該前面板３の背面側に平行に、所定の間隔ｄを以て垂直に対向立設する背面板４とから構成される展示台本体Ａと、該展示台本体Ａの前面板３と背面板４との対向間に挟持される表示板本体Ｂとから構成されている。
【００２７】
なお展示台面２の一端部１ｄ側に、該展示台面２に対して垂直に対向立設した前記前面板３と背面板４は、図示するような直線形状線に沿うような形状に対向立設する以外に、例えば、円弧形状線、波形状線、コの字形状線、Ｖの字形状線、Ｗの字形状線など適宜形状線に沿うような形状にて対向立設してもよい。
【００２８】
本発明の商品展示台兼用ディスプレイ表示体において、前記展示台部１の展示台面２には、図１、図２に示すように、展示台部１の幅ｗ1 方向の両側に前面板３が一枚ずつ、計二枚設けられ、背面板４が一枚設けられていて、該前面板３と背面板４とが、互いに正対しているものである。
【００２９】
また、本発明の商品展示台兼用ディスプレイ表示体の他の実施の形態としては、図示しないが、図１、図２に示す前記展示台部１の展示台面２に、互いに正対する前面板３と背面板４とが、各々一枚ずつ立設されていてもよい。
【００３０】
また、本発明の商品展示台兼用ディスプレイ表示体の他の実施の形態としては、図示しないが、図１、図２に示す前記展示台部１の展示台面２に、二枚の前記前面板３と、一枚の前記背面板４が設けられて、該前面板３と背面板４とが、互いに正対しているか、又は正対していない互いにずれた状態若しくは互い違いの状態で立設されていてもよい。
【００３１】
また、その他の実施の形態としては、図示しないが、図１、図２に示す前記展示台部１の展示台面２に、前面板３と背面板４が、各々二枚ずつ設けられ、該前面板３と背面板４とが、互いに正対しているか、又は正対していない互いにずれた状態若しくは互い違いの状態で立設されていてもよい。
【００３２】
本発明の商品展示台兼用ディスプレイ表示体の他の実施の形態としては、図１、図２に示すように、互いに正対する前記前面板３と背面板４との対向面のうち、いずれか一方面又は両方面には、該前面板３と背面板４との間に挟持する表示板Ｂを、より確実に挟持するためのライン状突起部３ａ、４ａが垂直方向に設けられ、互いにライン状突起部３ａ、４ａは、図示するように互い違いに設けられているか、あるいは、前記ライン状突起部３ａ、４ａは互いに正対するように設けられていてもよい。
【００３３】
本発明の商品展示台兼用ディスプレイ表示体は、図１、図２に示すように、展示台部１における互いに正対する前記前面板３と背面板４との対向間、若しくは互いに正対しないずれた状態若しくは互い違いの状態の前記前面板３と背面板４との対向間における展示台部１の上面（展示台面２）において、その上面（展示台面２）から下面（展示台面２と相
対する底面）に亘って、１個所に、長方形状の孔設部５が貫設されている。
【００３４】
あるいは、図１、図２に示すように、前記展示台部１における互いに正対する前記前面板３と背面板４との対向間、若しくは互いに正対しないずれた状態若しくは互い違いの状態の前記前面板３と背面板４との対向間における展示台部１の上面（展示台面２）において、その上面（展示台面２）から下面（展示台面２と相対する底面）の手前まで、適宜な深さに亘って、１個所に、長方形状の孔設部５が孔設されている。
【００３５】
なお、前記孔設部５の形状は、長方形、正方形等の矩形状、あるいは円形、長円形、楕円形状等の任意形状であってもよく、また、その孔設部５の貫設個所又は孔設個所は、上記のように１個所であってもよいし、２個所乃至複数個所であってもよい。
【００３６】
本発明の商品展示台兼用ディスプレイ表示体の展示台本体Ａの展示台部１の平面形状は、図３（ａ）の平面図に示すような直線状の四方の端部１ａ、１ｂ、１ｃ、１ｄを有する正方形、長方形などの矩形状であってもよいし、あるいは、図示しないが、図３に示す展示台部１の前記前面板３、背面板４を立設した直線状の一方の端部１ｄを除いて、他の三方の端部１ａ、１ｂ、１ｃを、連続する半円形状、半長円形状、あるいは円形の一部の円弧形状、長円形の一部の弧形状などとしてもよい。
【００３７】
また、本発明の商品展示台兼用ディスプレイ表示体の展示台本体Ａの展示台部１の平面形状は、図３（ａ）の平面図に示す展示台部１の前記前面板３、背面板４を立設した直線状の一方の端部１ｄを独立した所定の線形状、若しくは所定の曲率の円弧形状として、他の三方の端部１ａ、１ｂ、１ｃを直線状としてもよい。
【００３８】
あるいはまた、本発明の商品展示台兼用ディスプレイ表示体の展示台本体Ａの展示台部１の平面形状は、図３（ａ）の平面図に示す展示台部１の前記前面板３、背面板４を立設した直線状の一方の端部１ｄを独立した所定の線形状、若しくは所定の曲率の円弧形状として、他の三方の端部１ａ、１ｂ、１ｃを所定の線形状、若しくは所定の曲率の円弧形状としてもよい。
【００３９】
また、本発明における展示台本体Ａの展示台部１の背面板４裏面側に相当する一端部１ｄは、図３（ａ）の平面図に示すように、背面板４に対して所定幅ｄ1 （例えば３ｍｍ〜１０ｍｍ程度）だけ外側に張り出してフランジ端部１ｄとなっていてもよいし、あるいは前記展示台部１の背面板４裏面側に相当する一端部１ｄは、該背面板４に対して展示台部１の外側に全く張り出していない端部であってもよい。
【００４０】
本発明の商品展示台兼用ディスプレイ表示体の表示板本体Ｂは、図２に示すように、その表示板本体Ｂを構成する紙製（厚紙、ダンボール紙など）、木製（薄ベニア板など）、プラスチック製、金属製（例えばアルミ製など）などからなる表示用プレート１１の下端部１１ａが、展示台本体Ａの展示台部１の平坦な展示台面２に沿うように直線形状となっていることが適当である。
【００４１】
また、本発明における表示板本体Ｂは、図４（ａ）に示すように、上記表示板本体Ｂを構成する表示用プレート１１の下端部１１ａに、前記孔設部５内に嵌入可能な位置決め突起部１２を設けてある。
【００４２】
図２に示すように、展示台部１の前面板３と背面板４との対向間に表示板本体Ｂを差し込み挟持して取り付ける際に、該表示板本体Ｂの突起部１２を、展示台部１の孔設部５内に嵌入して、展示台部１の幅ｗ1 方向に対する表示板本体Ｂの幅ｗ2 方向の取り付け位置の位置決め固定をするものである。
【００４３】
また、本発明における表示板本体Ｂは、図４（ｂ）に示すように、上記表示板本体Ｂを構成する表示用プレート１１の片面又は両面に垂直方向に位置決め凹部が設けられているものである。
【００４４】
例えば、図４（ｂ）に示すように、本発明における表示板本体Ｂの表示用プレート１１裏面側に、前記前面板３と背面板４との互いの対向面のうち背面板４の対向面に垂直方向に設けた前記突起部４ａに係合する位置決め凹部１１ｃを設けるか、又は、表示用プレート１１表面側に、前記前面板３と背面板４との互いの対向面のうち前面板３の対向面に垂直方向に設けた前記突起部３ａに係合する位置決め凹部１１ｂを設けてある。なお、表示板本体Ｂの表示用プレート１１に設けるそれぞれ前記位置決め凹部１１ｂ、１１ｃの表示板本体Ｂ下端部１１ａからの垂直方向の長さは、図４（ｂ）に示すように、表示板本体Ｂ下端部１１ａから上端部までの長さであってもよいし、展示台本体Ａの前面板３又は／及び背面板４の立設高さｈ1 （突起部３ａ、４ａの形成長さ）に対応する長さとすることもできる。
【００４５】
図２に示すように、展示台部１の前面板３と背面板４との対向間に表示板本体Ｂを上方から差し込み挟持して取り付ける際に、該表示板本体Ｂの表示用プレート１１裏面側に設けた位置決め凹部１１ｃを背面板４の突起部４ａに係合しながら差し込んで取り付けることにより、展示台部１の幅ｗ1 方向に対する表示板本体Ｂの幅ｗ2 方向の取り付け位置の位置決め固定をするものである。
【００４６】
また、図２に示すように、展示台部１の前面板３と背面板４との対向間に表示板本体Ｂを上方から差し込み挟持して取り付ける際に、該表示板本体Ｂの表示用プレート１１表面側に設けた位置決め凹部１１ｂを前面板３の突起部３ａに係合しながら差し込んで取り付けることにより、展示台部１の幅ｗ1 方向に対する表示板本体Ｂの幅ｗ2 方向の取り付け位置の位置決め固定をするものである。
【００４７】
また、本発明における展示台本体Ａの展示台部１には、前面板３と背面板４を対向立設した展示台部１の一端部１ｄ以外の他の端部に、展示、陳列用の商品を展示台部１の展示台面２上に載置し易いように、該一端部１ｄ以外の他の一端部乃至三端部の外側に向かって低く傾斜する緩やかな適宜なる傾斜角度、例えば５°〜１５°程度の傾斜面２ａを備えるようにすることができる。
【００４８】
例えば、図３（ａ）の展示台本体Ａの平面図、及び図３（ｂ）の展示台本体ＡのＭ−Ｍ正面断面図、及び図５の展示台本体ＡのＭ−Ｍ拡大正面断面図に示すように、その展示台部１の幅ｗ1 方向の一端部１ｂ側若しくは１ｃ側、又は両端部１ｂ、１ｃ側に緩やかな所定傾斜角度の傾斜面２ａを備えており、また図６の展示台本体ＡのＬ−Ｌ側断面図に示すように、その展示台部１の前端部１ａ側に緩やかな所定傾斜角度の傾斜面２ａを備えている。
【００４９】
また、図６及び図７の展示台本体ＡのＬ−Ｌ拡大側断面図に示すように、展示台部１に立設した前面板３の外側基部、及び背面板４の外側基部４ｂには、前面板３及び背面板４の立設強度を強化するために、所定角度（例えば４５°）に傾斜した又は所定曲率Ｒの肉厚となる各々立設補強部３ｂ、４ｂを設けるようにしてもよい。
【００５０】
本発明における展示台本体Ａの前面板３と背面板４の対向間に挟持して取り付ける表示板本体Ｂの形状は、店頭や野外にて顧客に対して展示、陳列する商品や表示すべき商品情報の内容に応じて適宜にデザインし、設計することが可能であり、本発明においては特に限定するものではないが、その形状の一例を図８（ａ）〜（ｃ）に示す。
【図面の簡単な説明】
【００５１】
【図１】本発明の商品展示台兼用ディスプレイ表示体の展示台本体Ａの一例を説明する全体斜視図。
【図２】本発明の商品展示台兼用ディスプレイ表示体の展示台本体Ａと表示板本体Ｂを説明する全体斜視図。
【図３】（ａ）は本発明の商品展示台兼用ディスプレイ表示体の展示台本体Ａの一例を示す全体平面図、（ｂ）はそのＭ−Ｍ正面断面図。
【図４】（ａ）〜（ｂ）は本発明の商品展示台兼用ディスプレイ表示体の表示板本体Ｂの形態の一例を示す平面図。
【図５】本発明の商品展示台兼用ディスプレイ表示体の展示台本体Ａの一例を示すＭ−Ｍ部分拡大正面断面図。
【図６】本発明の商品展示台兼用ディスプレイ表示体の展示台本体Ａの一例を説明するＬ−Ｌ断面図。
【図７】本発明の商品展示台兼用ディスプレイ表示体の展示台本体Ａの一例を説明するＬ−Ｌ部分拡大断面図。
【図８】（ａ）〜（ｃ）は本発明の商品展示台兼用ディスプレイ表示体の展示台本体Ａに取り付けた表示板本体Ｂの形態の一例を示す全体斜視図。
【符号の説明】
【００５２】
Ａ…展示台本体
Ｂ…表示板本体
１…展示台部
２…展示台面
３…前面板
４…背面板
５…孔設部
１１…表示用プレート
１２…位置決め突起部
【図１】
2006078728.tif 000003
【図２】
2006078728.tif 000004
【図３】
2006078728.tif 000005
【図４】
2006078728.tif 000006
【図５】
2006078728.tif 000007
【図６】
2006078728.tif 000008
【図７】
2006078728.tif 000009
【図８】
2006078728.tif 000010